(57)【要約】【課題】無線装置が特定照明装置と通信できなくなったとしても、特定照明装置と通信できる通信ルートを簡易に確立することができる照明システム及び照明制御方法を提供する。【解決手段】照明システム１は、照明コントローラ２０によって制御される１以上の照明装置４０と、１以上の照明装置４０のそれぞれとペアリング設定された第１無線装置３０ｎ１と、第１無線装置３０ｎ１と異なる第２無線装置３０ｎ２とを備える。そして、第１無線装置３０ｎ１が１以上の照明装置４０にそれぞれ送信した制御指示に対して、１以上の照明装置４０のうち反応しない特定照明装置が存在する場合、第２無線装置３０ｎ２は、１以上の特定照明装置のそれぞれとの通信を試行する。【選択図】図２
2020119853.tif 000002
【特許請求の範囲】
【請求項１】
制御装置によって制御される１以上の照明装置と、
前記１以上の照明装置のそれぞれとペアリング設定された第１無線装置と、
前記第１無線装置と異なる第２無線装置とを備え、
前記第１無線装置が前記１以上の照明装置にそれぞれ送信した制御指示に対して、前記１以上の照明装置のうち反応しない特定照明装置が存在する場合、前記第２無線装置は、１以上の前記特定照明装置のそれぞれとの通信を試行する
照明システム。
【請求項２】
通信が試行された結果、前記第２無線装置から制御指示を受信できた１以上の前記特定照明装置は、制御指示に対する応答を前記第２無線装置に送信する
請求項１に記載の照明システム。
【請求項３】
さらに、入力を受付けることによって前記第２無線装置と１以上の前記特定照明装置とが指定され、指定された前記第２無線装置と１以上の前記特定照明装置のそれぞれとの通信を試行させる制御装置を備える
請求項１又は２に記載の照明システム。
【請求項４】
前記制御装置又は前記第１無線装置は、自動的に前記第２無線装置を指定し、前記第２無線装置と１以上の前記特定照明装置のそれぞれとの通信を試行させる
請求項１又は２に記載の照明システム。
【請求項５】
前記第２無線装置と１以上の前記特定照明装置のそれぞれとの通信ができる場合、前記制御装置又は前記第１無線装置は、前記第１無線装置と１以上の前記特定照明装置のそれぞれとのペアリング設定を解除させ、かつ、前記第２無線装置と１以上の前記特定照明装置のそれぞれとのペアリング設定を実施させる
請求項１〜４のいずれか１項に記載の照明システム。
【請求項６】
前記制御装置又は前記第１無線装置は、前記第２無線装置と１以上の前記特定照明装置のそれぞれとの通信の試行を複数回づつ行わせ、
前記制御装置、前記第１無線装置及び前記第２無線装置のいずれかは、前記第２無線装置と１以上の前記特定照明装置のそれぞれとの通信ができる成功確率を算出する
請求項１〜５のいずれか１項に記載の照明システム。
【請求項７】
前記制御装置又は前記第１無線装置は、規定期間において、前記第２無線装置と１以上の前記特定照明装置のそれぞれとの通信の試行を行わせ、
前記制御装置、前記第１無線装置及び前記第２無線装置のいずれかは、前記規定期間における、単位時間毎の成功確率を算出する
請求項６に記載の照明システム。
【請求項８】
前記第２無線装置は、照明装置であり、
前記第１無線装置が前記１以上の照明装置にそれぞれ送信した制御指示に対して、前記１以上の照明装置のうち反応しない１以上の前記特定照明装置が存在する場合、前記１以上の照明装置のうちの少なくとも一部の照明装置は、１以上の前記特定照明装置と通信を試行する
請求項１〜７のいずれか１項に記載の照明システム。
【請求項９】
第１無線装置が１以上の照明装置のそれぞれとペアリング設定されていることと、
前記第１無線装置が前記１以上の照明装置にそれぞれ送信した制御指示に対して、前記１以上の照明装置のうち反応しない特定照明装置が存在する場合、前記第１無線装置と異なる第２無線装置は、１以上の前記特定照明装置のそれぞれとの通信を試行することとを含む
照明制御方法。
【発明の詳細な説明】
【技術分野】
【０００１】
本開示は、照明システム及び照明制御方法に関する。
【背景技術】
【０００２】
従来の照明システムとして特許文献１には、複数の照明機器と、複数の照明機器とペアリング処理が実行される制御装置とを備える照明制御システムが開示されている。
【先行技術文献】
【特許文献】
【０００３】
【特許文献１】特開２０１６−１０３３７２号公報
【発明の概要】
【発明が解決しようとする課題】
【０００４】
ところで、従来の照明システムでは、例えば、複数の照明装置のうちの特定照明装置と無線装置との間に設置された障害物、又は、無線チャンネルの混雑等によって特定照明装置と無線装置とが通信できなくなることがある。この場合、一旦、特定照明装置と無線装置との間のペアリング設定を解除し、改めて、特定照明装置と無線装置とが通信できるかどうかを確認することがある。このため、特定照明装置と無線装置との間の作業が煩雑になる。
【０００５】
本開示は、このような課題を解決するためになされたものであり、無線装置が特定照明装置と通信できなくなったとしても、特定照明装置と通信できる通信ルートを簡易に確立することができる照明システム及び照明制御方法を提供することを目的とする。
【課題を解決するための手段】
【０００６】
上記目的を達成するために、本開示に係る照明システムの一態様は、制御装置によって制御される１以上の照明装置と、前記１以上の照明装置のそれぞれとペアリング設定された第１無線装置と、前記第１無線装置と異なる第２無線装置とを備え、前記第１無線装置が前記１以上の照明装置にそれぞれ送信した制御指示に対して、前記１以上の照明装置のうち反応しない特定照明装置が存在する場合、前記第２無線装置は、１以上の前記特定照明装置のそれぞれとの通信を試行する。
【０００７】
また、上記目的を達成するために、本開示に係る照明制御方法の一態様は、第１無線装置が１以上の照明装置のそれぞれとペアリング設定されていることと、前記第１無線装置が前記１以上の照明装置にそれぞれ送信した制御指示に対して、前記１以上の照明装置のうち反応しない特定照明装置が存在する場合、前記第１無線装置と異なる第２無線装置は、１以上の前記特定照明装置のそれぞれとの通信を試行することとを含む。
【発明の効果】
【０００８】
本開示に係る照明システム等によれば、無線装置が特定照明装置と通信できなくなったとしても、特定照明装置と通信できる通信ルートを簡易に確立することができる。
【図面の簡単な説明】
【０００９】
【図１】図１は、実施の形態に係る照明システムを例示するブロック図である。
【図２】図２は、実施の形態に係る照明システムの動作を例示するシーケンス図である。
【図３Ａ】図３Ａは、実施の形態に係る照明システムの照明コントローラにおける通信ルートを設定するための、無線装置を設定する操作画面を例示する模式図である。
【図３Ｂ】図３Ｂは、実施の形態に係る照明システムの照明コントローラにおける特定照明装置と通信可能な無線装置と通信を試行する操作画面を例示する模式図である。
【図３Ｃ】図３Ｃは、実施の形態に係る照明システムの照明コントローラにおける特定照明装置と無線装置との通信を試行した結果の画面を例示する模式図である。
【図４】図４は、実施の形態の変形例１に係る照明システムの動作を例示するシーケンス図である。
【図５】図５は、実施の形態の変形例２に係る照明システムの動作を例示するシーケンス図である。
【図６】図６は、実施の形態の変形例３に係る照明システムの動作を例示するシーケンス図である。
【図７】図７は、実施の形態の変形例４に係る照明システムの動作を例示するシーケンス図である。
【図８】図８は、実施の形態の変形例５に係る照明システムの動作を例示するシーケンス図である。
【発明を実施するための形態】
【００１０】
以下、本開示の実施の形態について、図面を参照しながら説明する。なお、以下に説明する実施の形態は、いずれも本開示の一具体例を示すものである。したがって、以下の実施の形態で示される、数値、形状、材料、構成要素、構成要素の配置位置及び接続形態、並びに、ステップ、ステップの順序などは、一例であって本開示を限定する主旨ではない。よって、以下の実施の形態における構成要素のうち、本開示の最上位概念を示す独立請求項に記載されていない構成要素については、任意の構成要素として説明される。
【００１１】
各図は、模式図であり、必ずしも厳密に図示されてはいない。したがって、例えば、各図において縮尺等は必ずしも一致しない。また、各図において、実質的に同一の構成に対しては同一の符号を付しており、重複する説明は省略又は簡略化する。
【００１２】
（実施の形態）
［照明システム］
図１は、実施の形態に係る照明システム１を例示するブロック図である。
【００１３】
図１に示すように、照明システム１では、操作端末１０及び照明コントローラ２０の少なくともいずれかを用いて、照明シーンを再現させるように１以上の照明装置４０を制御することができるシステムである。
【００１４】
照明システム１は、操作端末１０と、照明コントローラ２０と、複数の無線装置と、１以上の照明装置４０とを備える。なお、以下、特に言及しない限り、複数の無線装置のうち、第１無線装置３０ｎ１と第２無線装置３０ｎ２とを用いて説明し、単に無線装置という場合は、全ての無線装置の総称として用いる。
【００１５】
［操作端末］
操作端末１０は、それぞれの照明装置４０と複数の無線装置とのペアリング設定を行うことができる設定器であり、それぞれの照明装置４０と複数の無線装置のうちの任意の無線装置とペアリング設定を行うことができる。操作端末１０は、専用の操作端末１０であってもよいが、例えば、スマートフォン、タブレット端末等である。
【００１６】
また、操作端末１０は、照明コントローラ２０と通信可能に接続される。操作端末１０は、照明コントローラ２０を介し、かつ、第１無線装置３０ｎ１及び第２無線装置３０ｎ２の少なくとも一方を介して、１以上の照明装置４０のそれぞれに、制御指示を送信する。操作端末１０は、ユーザの操作を受付けることで、受付けた通信指示を照明コントローラ２０に送信する。
【００１７】
１以上の照明装置４０のうち制御指示に対して反応をしない１以上の特定照明装置が存在する場合、１以上の特定照明装置のそれぞれと通信を試行するために、ユーザが操作端末１０を操作することで、操作端末１０は、通信指示を照明コントローラ２０に送信する。
【００１８】
操作端末１０は、第１操作部１１と、表示部１２と、第１通信部１３とを有する。
【００１９】
第１操作部１１は、ユーザの操作を受付ける入力インターフェイスである。特定照明装置と複数の無線装置のうち、第１無線装置３０ｎ１とが通信できなくなっている場合、第１操作部１１は、無線装置が照明装置４０と通信を試行するための通信指示、ペアリング設定を変更する設定変更指示等を受付ける。第１操作部１１は、受付けた入力に応じて、通信指示、設定変更指示等を、第１通信部１３を介して照明コントローラ２０に送信する。
【００２０】
ここで特定照明装置と第１無線装置３０ｎ１とが通信できなくなっている場合とは、第１無線装置３０ｎ１が１以上の照明装置４０にそれぞれ送信した制御指示に対して、１以上の照明装置４０のうち反応しない１以上の特定照明装置が存在していることだけでなく、応答を返信しない場合も意味する。このため、反応しないとは、制御指示に対して特定照明装置が少なくとも何らかの動作をしないことを意味する。
【００２１】
表示部１２は、ペアリング設定を行う画面、照明装置４０から取得した後述する応答を示す画面等を表示するモニタである。
【００２２】
第１通信部１３は、照明コントローラ２０と通信可能に接続される通信モジュールである。本実施の形態では、第１通信部１３は、通信指示、設定変更指示等を照明コントローラ２０に送信したり、後述する通信指示に対する応答を受信したりする。
【００２３】
［照明コントローラ］
照明コントローラ２０は、操作端末１０から受信した通信指示を、特定照明装置とペアリング設定されていない別の無線装置に送信する。例えば、第１無線装置３０ｎ１がそれぞれの照明装置４０とペアリング設定されている場合であって、第１無線装置３０ｎ１と１以上の特定照明装置とが無線通信できない状態となっているとき、第１無線装置３０ｎ１と異なる第２無線装置３０ｎ２をユーザが指定すると、照明コントローラ２０は、第２無線装置３０ｎ２を介して、１以上の特定照明装置に通信指示を送信する。このように、照明コントローラ２０は、指定された第２無線装置３０ｎ２と１以上の特定照明装置のそれぞれとの通信を試行させる。照明コントローラ２０は、制御装置の一例である。
【００２４】
また、照明コントローラ２０は、複数の無線装置を介してそれぞれの照明装置４０と通信可能な照明用のコントローラである。照明コントローラ２０は、無線装置を介してそれぞれの照明装置４０を制御する。照明コントローラ２０は、それぞれの照明装置４０を点灯、消灯等をしたり、所定の点灯シーンで点灯させるといった制御をしたり、複数の照明装置４０のうちの所定の照明装置４０を構成するグループだけを制御したりする。
【００２５】
照明コントローラ２０は、第２操作部２１と、制御部２２と、第２通信部２３とを有する。
【００２６】
第２操作部２１は、複数の照明装置４０の点灯、消灯等を制御するための、ユーザの操作を受付ける入力インターフェイスである。
【００２７】
制御部２２は、第２操作部２１にユーザが操作に応じた制御指示を生成し、生成した制御指示をそれぞれの照明装置４０に送信する。制御部２２は、生成した制御指示を、メモリ等で構成される図示しない記憶部に記憶する。
【００２８】
１以上の特定照明装置と第１無線装置３０ｎ１とが通信できなくなっている場合、第１無線装置３０ｎ１とそれぞれの特定照明装置とのペアリング設定を解除させ、かつ、新たな無線装置（本実施の形態では、第２無線装置３０ｎ２）とそれぞれの特定照明装置とのペアリング設定を実施させるため、制御部２２は、第３通信部３２を介して、操作端末１０から設定変更指示を取得する。制御部２２は、取得した設定変更指示に基づいて、第２通信部２３を介して、第１設定指示を第１無線装置３０ｎ１に送信し、第２設定指示を第２無線装置３０ｎ２に送信する。
【００２９】
ここで、本実施の形態では第１無線装置３０ｎ１と１以上の特定照明装置とがペアリング設定されているため、第１設定指示は、これを解除するためのコマンドである。第２設定指示は、１以上の特定照明装置とペアリング設定されていない第２無線装置３０ｎ２を、１以上の特定照明装置とペアリング設定するためのコマンドである。
【００３０】
第２通信部２３は、操作端末１０及び無線装置と通信可能に接続される通信モジュールである。本実施の形態では、第２通信部２３は、通信指示、設定変更指示等を無線装置に送信したり、後述する通信指示に対する応答を受信したりする。
【００３１】
［無線装置］
それぞれの無線装置は、１以上の照明装置４０と照明コントローラ２０とを通信可能に接続するルータ、ハブ等の中継器である。複数の無線装置には第１無線装置３０ｎ１及び第２無線装置３０ｎ２が含まれる。複数の無線装置のうちの第１無線装置３０ｎ１は、それぞれの照明装置４０とペアリング設定される。
【００３２】
それぞれの無線装置は、第１処理部３１と、第３通信部３２とを有する。つまり、第１無線装置３０ｎ１及び第２無線装置３０ｎ２のそれぞれは、第１処理部３１と、第３通信部３２とを有する。それぞれの無線装置は、同様の構成であるため、その説明を省略する。
【００３３】
第１無線装置３０ｎ１と１以上の特定照明装置とが通信できなくなっている場合、第２無線装置３０ｎ２の第１処理部３１は、第３通信部３２を介して、１以上の特定照明装置のそれぞれと通信を試行する。つまり、第１処理部３１は、操作端末１０から通信指示を取得すると、通信指示に応じた特定照明装置に送信するための応答の要求を生成し、生成した応答の要求を、第３通信部３２を介して１以上の特定照明装置に送信する。なお、第１処理部３１は、取得した通信指示、特定照明装置から送信された応答等を、図示しないメモリ等で構成される無線装置が有する記憶部に記憶してもよい。
【００３４】
例えば、第２無線装置３０ｎ２が１以上の特定照明装置から応答を受信できるかどうかによって、第２無線装置３０ｎ２と特定照明装置との通信を確立できるかどうかの判定に用いることができる。
【００３５】
特定照明装置と第１無線装置３０ｎ１とが通信できなくなっている場合、第１処理部３１は、第３通信部３２を介して操作端末１０から設定変更指示を取得すると、取得した設定変更指示に基づいて処理を行う。例えば、第１処理部３１は、第１設定指示を受信すれば、１以上の特定照明装置とのペアリング設定を解除し、第２設定指示を受信すれば、１以上の特定照明装置とのペアリング設定を実施させる。
【００３６】
第３通信部３２は、ペアリング設定されたそれぞれの照明装置４０と無線通信可能に接続される通信モジュールである。本実施の形態では、第３通信部３２は、ペアリング設定された第１無線装置３０ｎ１から制御指示等を受信し、それぞれの照明装置４０に送信する。また、１以上の特定照明装置と第１無線装置３０ｎ１とが通信できなくなっている場合、第３通信部３２は、１以上の特定照明装置に応答を要求したりする。
【００３７】
［照明装置４０］
複数の照明装置４０には、１以上の特定照明装置が含まれる。特定照明装置は、ペアリング設定された第１無線装置３０ｎ１と通信できなくなった又は通信をし難くなった照明装置である。第２無線装置３０ｎ２と１以上の特定照明装置との通信が試行された結果、第２無線装置３０ｎ２から応答の要求を受信できた１以上の特定照明装置は、制御指示に対する応答を第２無線装置３０ｎ２に送信する。特定照明装置は、応答の要求を受信した場合、ユーザに通信ができたことを報知するために、点灯等の反応をしてもよい。本実施の形態では、１以上の特定照明装置は、第２無線装置３０ｎ２及び照明コントローラ２０を介して、操作端末１０に応答を送信する。
【００３８】
それぞれの照明装置４０は、施設の室内を照明することができるように、室内に設置される。それぞれの照明装置４０には、商用電源からの電力が供給される。
【００３９】
それぞれの照明装置４０は、第２処理部４１と、照明制御部４２と、発光モジュール４３と、第４通信部４４と、図示しない電源部とを有する。以下では、それぞれの照明装置４０は、それぞれ異なる照明装置であるが、それぞれが同等の構成を有するため、特に言及しない限り、１つの照明装置４０について説明する。当然のことながら、特定照明装置についても照明装置４０と同様の構成である。
【００４０】
第２処理部４１は、第２無線装置３０ｎ２と照明装置４０とのペアリング設定するための通信指示を受信すると、通信成功を示す応答を、第４通信部４４を介して第２無線装置３０ｎ２に送信する。このため、照明装置４０が上述の通信指示を受信できない場合、第２処理部４１は、第４通信部４４を介して、応答を第２無線装置３０ｎ２に送信できない。
【００４１】
また、第２処理部４１は、受信した通信指示に応じた処理を行う。例えば、第２処理部４１は、通信指示に応じて発光モジュール４３を点灯させるように、照明制御部４２に指示を出力する。
【００４２】
照明制御部４２は、発光モジュール４３の発する光を制御する。具体的には、照明制御部４２は、制御指示に示される明るさ及び色温度に基づいて発光モジュール４３を制御する。また、照明制御部４２は、第２処理部４１から取得した通信指示に応じた点灯シーンで発光モジュール４３を制御する。
【００４３】
発光モジュール４３は、照明装置４０が周囲を照明するための光を出射する。発光モジュール４３は、光を放射状に発するＬＥＤ（Ｌｉｇｈｔ  Ｅｍｉｔｔｉｎｇ  Ｄｉｏｄｅ）を有するモジュールである。発光モジュール４３は、例えば白色光を出射するように構成される光源と、光源を実装するための実装基板とを有する。
【００４４】
第４通信部４４は、ペアリング設定された第１無線装置３０ｎ１と通信可能に接続される通信モジュールである。第４通信部４４は、第１無線装置３０ｎ１から制御指示を取得する。
【００４５】
電源部は、交流電源である商用電源と電気的に接続される。電源部は、発光モジュール４３に電力を供給する電源回路が内蔵されたモジュールである。電源部に内蔵された電源回路は、電源部に接続された配線から供給された交流電流を直流電流に変換し、変換した直流電流を、リード線を介して発光モジュール４３の光源に供給する。
【００４６】
［動作］
次に、照明システム１及び照明制御方法の動作について説明する。
【００４７】
図２は、実施の形態に係る照明システム１の動作を例示するシーケンス図である。
【００４８】
ここでは、複数の無線装置として、第１無線装置３０ｎ１、第２無線装置３０ｎ２、・・・、第ｎ無線装置３０ｎｍを用いて説明する。また、第１無線装置３０ｎ１とそれぞれの照明装置４０ｎ１、４０ｎ２とは、予めペアリング設定されていることを想定する。また、図２では、複数の照明装置として、照明装置４０ｎ１と照明装置４０ｎ２とを用いて説明する。なお、図２では、便宜上、２台の照明装置４０ｎ１、４０ｎ２を用いて説明するが、２台に限定するものではなく、３台以上であってもよい。
【００４９】
図２に示すように、まず、照明コントローラ２０は、第１無線装置３０ｎ１に制御指示を送信する（Ｓ１１）。第１無線装置３０ｎ１は、受信したこの制御指示をそれぞれの照明装置４０ｎ１、４０ｎ２に送信する（Ｓ１２）。このとき、周囲の環境の変化等により、それぞれの照明装置４０ｎ１、４０ｎ２のうちの照明装置４０ｎ２と第１無線装置３０ｎ１とが通信できなくなっている場合、この照明装置４０ｎ２は、制御指示を受信することができないため、制御指示に示される反応を行うことができない。照明装置４０ｎ２と第１無線装置３０ｎ１とが通信不可の状態であるため、ユーザは、反応しない照明装置４０ｎ２を特定照明装置として認識する。以下より、特定照明装置のことを照明装置４０ｎ２ということがある。
【００５０】
次に、ユーザは、操作端末１０を操作して、第２無線装置３０ｎ２と照明装置４０ｎ２とのペアリング設定するための通信指示を入力し（Ｓ２１）、操作端末１０が第２無線装置３０ｎ２に照明装置４０ｎ２との通信を試行させる。
【００５１】
ペアリング設定の通信指示について、図３Ａ〜図３Ｃを用いて説明する。図３Ａは、実施の形態に係る照明システム１の照明コントローラ２０における通信ルートを設定するための、無線装置を設定する操作画面を例示する模式図である。図３Ｂは、実施の形態に係る照明システム１の照明コントローラ２０における特定照明装置と通信可能な無線装置と通信を試行する操作画面を例示する模式図である。図３Ｃは、実施の形態に係る照明システム１の照明コントローラ２０における特定照明装置と無線装置との通信を試行した結果の画面を例示する模式図である。
【００５２】
図３Ａに示すように、ユーザは、操作端末１０の表示部１２に表示される照明装置４０の状態を閲覧する。表示部１２には、第１無線装置３０ｎ１と通信できない（通信不可）の１以上の特定照明装置が表示されている。ユーザは、操作端末１０の第１操作部１１を操作し、１以上の特定照明装置を選択する。図３Ｂに示すように、選択終了後に遷移した次の画面では、例えばユーザが１以上の特定照明装置とペアリング設定するための第２無線装置３０ｎ２を選択する。当然のことながら第３〜ｎ無線装置を選択することもできる。そして、ユーザが通信の試行というボタンを選択する。
【００５３】
こうすることで、図２に示すように、ユーザの操作を受付けた操作端末１０は、照明コントローラ２０に通信指示を送信する（Ｓ３１）。
【００５４】
次に、照明コントローラ２０は、操作端末１０から通信指示を受信すると、第２無線装置３０ｎ２に通信指示を送信する（Ｓ３２）。第２無線装置３０ｎ２は、照明コントローラ２０から通信指示を受信すると、通信指示に基づいて照明装置４０ｎ２と通信を試行する（Ｓ３３）。つまり、第２無線装置３０ｎ２は、照明装置４０ｎ２に応答を要求する。
【００５５】
次に、照明装置４０ｎ２が第２無線装置３０ｎ２から応答の要求を受信すると、照明装置４０ｎ２は、通信成功を示す応答を第２無線装置３０ｎ２に送信する（Ｓ４１）。第２無線装置３０ｎ２は、受信した応答を照明コントローラ２０に送信する（Ｓ４２）。また、第２無線装置３０ｎ２の第１処理部３１は、応答を記憶部に記憶させてもよい。照明コントローラ２０は、受信した応答を操作端末１０に送信する（Ｓ４３）。また、照明コントローラ２０の制御部２２は、応答を記憶部に記憶させてもよい。操作端末１０は、第２無線装置３０ｎ２及び照明コントローラ２０を介して受信した応答を表示する。図３Ｃに示すように、操作端末１０の表示部１２には、第２無線装置３０ｎ２と照明装置４０ｎ２との通信が確立したことを示す通信試行の結果を表示する。ユーザは、第２無線装置３０ｎ２と１以上の特定照明装置のそれぞれとの通信を確立できると判定（認識）する。
【００５６】
次に、図２に示すように、ユーザは、操作端末１０を操作して、第２無線装置３０ｎ２と照明装置４０ｎ２とのペアリング設定を変更指示する（Ｓ５１）。ユーザの操作を受付けた操作端末１０は、第１無線装置３０ｎ１と照明装置４０ｎ２とのペアリング設定を解除させ、かつ、第２無線装置３０ｎ２と照明装置４０ｎ２とのペアリング設定を実施させる。操作端末１０は、設定変更指示に基づいた第１設定指示及び第２設定指示を照明コントローラ２０に送信する（Ｓ６１）。
【００５７】
具体的には、照明コントローラ２０は、現在ペアリング設定されている第１無線装置３０ｎ１と照明装置４０ｎ２とを解除する第１設定指示を第１無線装置３０ｎ１に送信する（Ｓ６２ａ）。また、照明コントローラ２０は、第２無線装置３０ｎ２と照明装置４０ｎ２とのペアリング設定を行う第２設定指示を第２無線装置３０ｎ２に送信する（Ｓ６２ｂ）。このように、照明コントローラ２０は、第１無線装置３０ｎ１と照明装置４０ｎ２とのペアリング設定を第２無線装置３０ｎ２と照明装置４０ｎ２とのペアリング設定に切り替える。
【００５８】
こうして、第１無線装置３０ｎ１と照明装置４０ｎ２とのペアリング設定が解除され、第２無線装置３０ｎ２と照明装置４０ｎ２とがペアリング設定される（設定変更後のペアリング設定の状態）。このため、無線装置が特定照明装置と通信できなくなったとしても、無線装置が指定されることで、操作端末１０、照明コントローラ２０、第２無線装置３０ｎ２及び第２無線装置３０ｎ２というルートが決定される。また、第１無線装置３０ｎ１と照明装置４０ｎ１とのペアリング設定は維持される。
【００５９】
［作用効果］
次に、本実施の形態における照明システム１及び照明制御方法の作用効果について説明する。
【００６０】
上述したように、本実施の形態に係る照明システム１は、照明コントローラ２０によって制御される１以上の照明装置４０と、１以上の照明装置４０のそれぞれとペアリング設定された第１無線装置３０ｎ１と、第１無線装置３０ｎ１と異なる第２無線装置３０ｎ２とを備える。そして、第１無線装置３０ｎ１が１以上の照明装置４０にそれぞれ送信した制御指示に対して、１以上の照明装置４０のうち反応しない特定照明装置が存在する場合、第２無線装置３０ｎ２は、１以上の特定照明装置のそれぞれとの通信を試行する。
【００６１】
このため、第２無線装置３０ｎ２が１以上の特定照明装置のそれぞれとの通信を試行した結果、例えば特定照明装置が点灯する等によって、通信が可能であると判定できれば、新しい通信ルートを確保するために、第２無線装置３０ｎ２と特定照明装置とのペアリング設定を行うことができる。
【００６２】
したがって、無線装置が特定照明装置と通信できなくなったとしても、特定照明装置と通信できる通信ルートを簡易に確立することができる。
【００６３】
また、本実施の形態に係る照明制御方法は、第１無線装置３０ｎ１が１以上の照明装置４０のそれぞれとペアリング設定されていることと、第１無線装置３０ｎ１が１以上の照明装置４０にそれぞれ送信した制御指示に対して、１以上の照明装置４０のうち反応しない特定照明装置が存在する場合、第１無線装置３０ｎ１と異なる第２無線装置３０ｎ２は、１以上の特定照明装置のそれぞれとの通信を試行することとを含む。
【００６４】
この場合においても上述と同様の作用効果を奏する。
【００６５】
このような、本実施の形態に係る照明システム１において、通信が試行された結果、第２無線装置３０ｎ２から制御指示を受信できた１以上の特定照明装置は、制御指示に対する応答を第２無線装置３０ｎ２に送信する。
【００６６】
これによれば、第２無線装置３０ｎ２が１以上の特定照明装置から応答を受信すれば、第２無線装置３０ｎ２が応答を受信した１以上の特定照明装置と通信成功したことを判定することができる。
【００６７】
また、本実施の形態に係る照明システム１は、さらに、入力を受付けることによって第２無線装置３０ｎ２と１以上の特定照明装置とが指定され、指定された第２無線装置３０ｎ２と１以上の特定照明装置のそれぞれとの通信を試行させる照明コントローラ２０を備える。
【００６８】
これによれば、ユーザが通信できる無線装置を選択することができるため、使い勝手がよい。
【００６９】
（実施の形態の変形例１）
以下では、本変形例における照明システム１及び照明制御方法の基本的な構成は、実施の形態の基本的な構成と同じであるため、本変形例における照明システム１及び照明制御方法の基本的な構成について、適宜説明を省略し、主に、実施の形態とは異なる部分について説明する。
【００７０】
本変形例では、第１無線装置３０ｎ１と１以上の特定照明装置と通信できない場合、照明コントローラ２０又は第１無線装置３０ｎ１は、第１無線装置３０ｎ１以外の１以上の無線装置を自動的に指定し、指定した１以上の無線装置のそれぞれと１以上の特定照明装置のそれぞれとの通信を試行させる。このように、照明コントローラ２０又は第１無線装置３０ｎ１は、第１無線装置３０ｎ１から第２無線装置３０ｎ２に自動的に切り替えて、第２無線装置３０ｎ２と１以上の特定照明装置のそれぞれとの通信を試行させる。このような切り替えを、無線装置の台数分順番に行う。例えば、第２無線装置３０ｎ２と１以上の特定照明装置との通信の試行が終了すると、次に第３無線装置と１以上の特定照明装置との通信の試行を行うといったことを続けて行う。これは、予め設定した無線装置の台数分行う。
【００７１】
次に、照明システム１及び照明制御方法の動作について、図４を用いて説明する。
【００７２】
図４は、実施の形態の変形例１に係る照明システム１の動作を例示するシーケンス図である。
【００７３】
図４に示すように、まず、照明コントローラ２０は、第１無線装置３０ｎ１を介して、それぞれの照明装置４０ｎ１、４０ｎ２に制御指示を送信する（Ｓ１１、Ｓ１２）。このとき、照明装置４０ｎ２が反応しない、つまり照明装置４０ｎ２と第１無線装置３０ｎ１とが通信不可の状態であるため、ユーザは、照明装置４０ｎ２を特定照明装置として認識する。
【００７４】
次に、ユーザは、操作端末１０を操作して通信指示を入力し（Ｓ２１）、第２無線装置３０ｎ２に照明装置４０ｎ２との通信を試行させる。具体的には、操作端末１０が照明コントローラ２０を介して第２無線装置３０ｎ２に通信指示を送信し（Ｓ３１、Ｓ３２）、第２無線装置３０ｎ２は、通信指示に基づいて照明装置４０ｎ２と通信を試行する（Ｓ３３）。つまり、第２無線装置３０ｎ２は、照明装置４０ｎ２に応答を要求する。
【００７５】
照明装置４０ｎ２が応答の要求を受信できた場合、照明装置４０ｎ２は、通信成功を示す応答を、第２無線装置３０ｎ２を介して照明コントローラ２０に送信する（Ｓ４１、Ｓ４２）。
【００７６】
次に、照明コントローラ２０は、第２無線装置３０ｎ２から応答を受信すると、第２無線装置３０ｎ２を特定するＩＤと受信した応答とを紐付け、メモリ等の図示しない記憶部に格納する。さらに、照明コントローラ２０は、特定照明装置とペアリング設定されていない別の無線装置である第３無線装置に、通信指示を送信する。本変形例では、照明コントローラ２０は、複数の無線装置が総当たりするように、それぞれの無線装置を介して、１以上の特定照明装置に通信指示を送信する。このように、照明コントローラ２０は、第１無線装置３０ｎ１以外の１以上の無線装置を自動的に指定し、１以上の無線装置のそれぞれと１以上の特定照明装置のそれぞれとの通信を試行させる。なお、複数の無線装置のうちの予め決定された一部の無線装置だけに、通信指示を送信してもよく、全ての無線装置と１以上の特定照明装置との通信の試行を行わなくてもよい。
【００７７】
本変形例では、照明コントローラ２０は、通信を試行すべき１以上の無線装置のそれぞれと、１以上の特定照明装置のそれぞれとの通信の試行を終えた後に、受信した複数の応答を操作端末１０に送信する（Ｓ４３）。
【００７８】
なお、無線装置は、応答の要求を送信してから規定期間が経過しても応答を受信できない場合、通信不可を示す応答を生成し、生成したこの応答を照明コントローラ２０に送信する。つまり、複数の応答には、要求に対する応答が特定照明装置から送信されずに、無線装置と１以上の特定照明装置とが通信できなくなっている通信不可を示す応答が含まれる。
【００７９】
なお、本実施の形態では、照明コントローラ２０の代わりに第１無線装置３０ｎ１又は操作端末１０が、第１無線装置３０ｎ１以外の１以上の無線装置を、自動的に指定し、１以上の無線装置と１以上の特定照明装置のそれぞれとの通信を試行させてもよい。照明コントローラ２０の代わりに第１無線装置３０ｎ１又は操作端末１０を用いる場合、第１無線装置３０ｎ１又は操作端末１０が照明コントローラ２０としての機能を有していてもよい。つまり、第１無線装置３０ｎ１又は操作端末１０は、さらに、照明コントローラ２０の制御部２２を備えていてもよい。これにより、第１無線装置３０ｎ１又は操作端末１０は、他の無線装置が総当たりするように通信指示を送信することで、他の無線装置が通信指示に基づく特定照明装置に応答の要求を送信する。そして、第１無線装置３０ｎ１は、要求に対する応答を受信する。また、照明コントローラ２０の代わりに操作端末１０を用いる場合、実施の形態における図２のステップＳ３１、３２、３３、及び、ステップＳ４１、４２、４３の処理を、通信を試行すべき無線装置の台数分だけ、操作端末１０が自動的に行う。
【００８０】
照明コントローラ２０は、それぞれの無線装置から受信したそれぞれの応答を、操作端末１０に送信する（Ｓ１４３）。操作端末１０は、第２無線装置３０ｎ２及び照明コントローラ２０を介して受信したそれぞれの応答を表示する。
【００８１】
ユーザは、操作端末１０を介して、１以上の特定照明装置との通信を確立できる無線装置を選択する。本実施の形態では、ユーザが第２無線装置３０ｎ２を選択する。ユーザが操作端末１０を操作することで、操作端末１０は、第２無線装置３０ｎ２と照明装置４０ｎ２とのペアリング設定を変更指示する（Ｓ５１）。操作端末１０は、設定変更指示に基づいた第１設定指示及び第２設定指示を照明コントローラ２０に送信する（Ｓ６１）。照明コントローラ２０は、現在ペアリング設定されている第１無線装置３０ｎ１と照明装置４０ｎ２とのペアリング設定を解除する第１設定指示を第１無線装置３０ｎ１に送信する（Ｓ６２ａ）。また、照明コントローラ２０は、第２無線装置３０ｎ２と照明装置４０ｎ２とのペアリング設定を行う第２設定指示を第２無線装置３０ｎ２に送信する（Ｓ６２ｂ）。
【００８２】
こうして、第１無線装置３０ｎ１と照明装置４０ｎ２とのペアリング設定が解除され、第２無線装置３０ｎ２と照明装置４０ｎ２とがペアリング設定される。
【００８３】
このように、本変形例に係る照明システム１は、照明コントローラ２０又は第１無線装置３０ｎ１は、自動的に第２無線装置３０ｎ２を指定し、第２無線装置３０ｎ２と１以上の特定照明装置のそれぞれとの通信を試行させる。
【００８４】
これによれば、例えばユーザが１以上の特定照明装置を選択するだけで、第１無線装置３０ｎ１以外の第２無線装置３０ｎ２と１以上の特定照明装置のそれぞれとの通信が自動的に試行される。このため、無線装置を選択しなくても自動的に選択されるため、使い勝手がよい。特に、無線装置が３台以上存在する場合、１以上の特定照明装置と通信できる無線装置を自動的に探すことができるため、より使い勝手がよくなる。
【００８５】
また、第２無線装置３０ｎ２が１以上の特定照明装置から応答を受信すれば、第２無線装置３０ｎ２が応答を受信した１以上の特定照明装置と通信できることを判定することができる。このため、判定に基づいて、照明コントローラ２０又は第１無線装置３０ｎ１は、応答を送信した特定照明装置と第２無線装置３０ｎ２との通信の確立を自動的に行わせることができる。
【００８６】
本変形例においても上述と同様の作用効果を奏する。
【００８７】
（実施の形態の変形例２）
以下では、本変形例における照明システム１及び照明制御方法の基本的な構成は、実施の形態の変形例１の基本的な構成と同じであるため、本変形例における照明システム１及び照明制御方法の基本的な構成について、適宜説明を省略し、主に、実施の形態の変形例１とは異なる部分について説明する。
【００８８】
本変形例における照明システム１及び照明制御方法では、照明コントローラ２０又は第１無線装置３０ｎ１は、複数の応答を受信すると、第１無線装置３０ｎ１と１以上の特定照明装置とのペアリング設定を解除させる。また、照明コントローラ２０又は第１無線装置３０ｎ１は、複数の応答のうち通信成功を示す応答に基づいて無線装置（本変形例では、第２無線装置３０ｎ２）と、１以上の特定照明装置とのペアリング設定を実施させる。
【００８９】
照明システム１及び照明制御方法の動作を、図５を用いて説明する。
【００９０】
図５は、実施の形態の変形例２に係る照明システム１の動作を例示するシーケンス図である。図５では、実施の形態の変形例１と同様の動作については、適宜説明を省略し、主に、本変形例が異なっている部分について説明する。図５では、図４のステップＳ５１、Ｓ６１、Ｓ６２ａ、Ｓ６２ｂの代わりに以下の処理を行う。
【００９１】
本変形例では、照明コントローラ２０は、通信を試行すべき１以上の無線装置と、１以上の特定照明装置との通信の試行を終えた後に、自動的にペアリング設定の変更指示を行う（Ｓ２５１）。具体的には、照明コントローラ２０は、第１無線装置３０ｎ１と照明装置４０ｎ２とのペアリング設定を解除する第１設定指示を第１無線装置３０ｎ１に送信する（Ｓ２６２ａ）。また、照明コントローラ２０は、第２無線装置３０ｎ２と照明装置４０ｎ２とのペアリング設定を行う第２設定指示を第２無線装置３０ｎ２に送信する（Ｓ２６２ｂ）。さらに、照明コントローラ２０は、自動的にペアリング設定の変更指示を行った結果を示す情報を操作端末１０に送信する（Ｓ２６３）。そして、操作端末１０は、自動的にペアリング設定の変更指示を行った結果を表示する。
【００９２】
こうして、第１無線装置３０ｎ１と照明装置４０ｎ２とのペアリング設定が解除され、第２無線装置３０ｎ２と照明装置４０ｎ２とがペアリング設定される（設定変更後のペアリング設定の状態）。また、第１無線装置３０ｎ１と照明装置４０ｎ１とのペアリング設定は維持される。
【００９３】
なお、本変形例では、照明コントローラ２０の代わりに第１無線装置３０ｎ１又は操作端末１０が、第１無線装置３０ｎ１と照明装置４０とのペアリング設定を解除し、第２無線装置３０ｎ２と照明装置４０とのペアリング設定を行ってもよい。照明コントローラ２０の代わりに第１無線装置３０ｎ１又は操作端末１０を用いる場合、第１無線装置３０ｎ１又は操作端末１０が照明コントローラ２０としての機能を有していてもよい。つまり、第１無線装置３０ｎ１又は操作端末１０は、さらに、照明コントローラ２０の制御部２２を備えていてもよい。
【００９４】
このような、本変形例に係る照明システム１において、第２無線装置３０ｎ２と１以上の特定照明装置のそれぞれとの通信ができると判定された場合、照明コントローラ２０又は第１無線装置３０ｎ１は、第１無線装置３０ｎ１と１以上の特定照明装置のそれぞれとのペアリング設定を解除させ、かつ、第２無線装置３０ｎ２と１以上の特定照明装置のそれぞれとのペアリング設定を実施させる。
【００９５】
このため、１以上の特定照明装置が第２無線装置３０ｎ２とペアリング設定されるため、第１無線装置３０ｎ１と１以上の特定照明装置との通信ルートと異なる新しい通信ルートを簡易に確立することができる。
【００９６】
また、第２無線装置３０ｎ２が１以上の特定照明装置から応答を受信すれば、第２無線装置３０ｎ２が応答を受信した１以上の特定照明装置と通信できることを判定することができる。このため、第２無線装置３０ｎ２は、応答を受信した１以上の特定照明装置との通信の確立を自動的に行うことができる。
【００９７】
本変形例においても上述と同様の作用効果を奏する。
【００９８】
（実施の形態の変形例３）
以下では、本変形例における照明システム１及び照明制御方法の基本的な構成は、実施の形態の基本的な構成と同じであるため、本変形例における照明システム１及び照明制御方法の基本的な構成について、適宜説明を省略し、主に、実施の形態とは異なる部分について説明する。
【００９９】
照明コントローラ２０又は第１無線装置３０ｎ１は、第２無線装置３０ｎ２と１以上の特定照明装置のそれぞれとの通信の試行を複数回づつ行わせる。具体的には、第１無線装置３０ｎ１と１以上の特定照明装置とが通信できなくなっている場合、照明コントローラ２０又は第１無線装置３０ｎ１は、第２無線装置３０ｎ２に１以上の特定照明装置との通信の試行を複数回づつ行わせる。
【０１００】
これにより第２無線装置３０ｎ２の第１処理部３１は、第２無線装置３０ｎ２と１以上の特定照明装置のそれぞれとの通信の試行を複数回づつ行う。具体的には、第１無線装置３０ｎ１と１以上の特定照明装置とが通信できなくなっている場合、第１処理部３１は、第１無線装置３０ｎ１以外の無線装置である第２無線装置３０ｎ２と１以上の特定照明装置のそれぞれとの通信の試行を、第３通信部３２に複数回づつ行わせる。当然のことながら、第２無線装置３０ｎ２以外の第３〜ｎ無線装置が存在する場合、これらの無線装置も同様に１以上の特定照明装置のそれぞれとの通信の試行を行う。
【０１０１】
また、上記の通信の試行を複数回づつ行った後に、第１処理部３１は、第２無線装置３０ｎ２と１以上の特定照明装置のそれぞれとの通信が確立したか否かのそれぞれの成功確率を、特定照明装置ごとに算出する。具体的には、第１処理部３１は、第２無線装置３０ｎ２と１以上の特定照明装置のそれぞれとの通信を複数回づつ試行し、通信が確立したそれぞれの成功確率を算出する。
【０１０２】
なお、照明コントローラ２０の制御部２２又は操作端末１０が、第２無線装置３０ｎ２と照明装置４０とが通信を試行した回数に対する応答の受信回数から通信の成功確率を算出してもよい。
【０１０３】
第１処理部３１は、算出した第２無線装置３０ｎ２のＩＤと成功確率とを紐付けて、記憶部に記憶させる。当然のことながら、第２無線装置３０ｎ２以外の第３〜ｎ無線装置が存在する場合、これらの無線装置の第１処理部３１は、成功確率を算出と成功確率を、１以上の特定照明装置ごとに記憶部に記憶させる。
【０１０４】
照明システム１及び照明制御方法の動作を、図６を用いて説明する。
【０１０５】
図６は、実施の形態の変形例３に係る照明システム１の動作を例示するシーケンス図である。図６では、実施の形態の変形例１と同様の動作については、適宜説明を省略し、主に、本変形例が異なっている部分について説明する。図６では、図４のステップＳ３１、Ｓ３２、Ｓ３３、Ｓ３４１、Ｓ４２、Ｓ１４３の代わりに以下の処理を行う。
【０１０６】
本変形例では、ユーザは、操作端末１０を操作して、第２無線装置３０ｎ２と１以上の特定照明装置のそれぞれとが通信の試行を複数回づつ行うための通信指示を入力し、操作端末１０が照明コントローラ２０に通信指示を送信する（Ｓ３３１）。ここで、通信指示には、第２無線装置３０ｎ２が１台づつ特定照明装置と通信を試行する回数が含まれる。つまり、第２無線装置３０ｎ２は、１台の特定照明装置と複数回づつ通信を試行する。
【０１０７】
照明コントローラ２０は、第２無線装置３０ｎ２に通信指示を送信し（Ｓ３３２）、第２無線装置３０ｎ２は、通信指示に基づいて照明装置４０ｎ２と通信を複数回試行する（Ｓ３３３）。つまり、第２無線装置３０ｎ２は、照明装置４０ｎ２に複数回応答を要求する。
【０１０８】
照明装置４０ｎ２は、要求を受信するごとに通信成功を示す応答を、第２無線装置３０ｎ２に送信する（Ｓ３４１）。第２無線装置３０ｎ２の第１処理部３１は、照明装置４０ｎ２と通信を試行した回数に対する応答の受信回数から、第２無線装置３０ｎ２と照明装置４０ｎ２との通信の成功確率を算出し、算出した成功確率を含む応答を照明コントローラ２０に送信する（Ｓ３４２）。第１処理部３１は、単位時間当たりの成功確率を算出する。例えば、単位時間は、１秒、１分、１時間等の単位である。
【０１０９】
照明コントローラ２０は、無線装置の台数に応じてステップＳ３３２の処理を行わせ、それぞれの無線装置から、成功確率を含む応答を受信する。照明コントローラ２０は、それぞれの無線装置の成功確率を含む応答を操作端末１０に送信する（Ｓ３４３）。
【０１１０】
操作端末１０は、照明コントローラ２０から応答を受信すると、応答に含まれるそれぞれの無線装置と照明装置４０ｎ２との通信の成功確率を示す情報を、表示部１２に表示する。ユーザは、表示部１２に表示された情報に基づいて、照明装置４０ｎ２との通信を確立できる１以上の無線装置から、１つの無線装置を選択する。
【０１１１】
そして、ステップＳ６１、Ｓ６２ａ、Ｓ６２ｂを経て、第１無線装置３０ｎ１と照明装置４０ｎ２とのペアリング設定が解除され、第２無線装置３０ｎ２と照明装置４０ｎ２とがペアリング設定される（設定変更後のペアリング設定の状態）。また、第１無線装置３０ｎ１と照明装置４０ｎ１とのペアリング設定は維持される。
【０１１２】
なお、本変形例では、照明コントローラ２０の代わりに第１無線装置３０ｎ１又は操作端末１０が、第２無線装置３０ｎ２に１以上の特定照明装置との通信の試行を複数回づつ行わせてもよい。照明コントローラ２０の代わりに第１無線装置３０ｎ１又は操作端末１０を用いる場合、第１無線装置３０ｎ１又は操作端末１０が照明コントローラ２０としての機能を有していてもよい。つまり、第１無線装置３０ｎ１又は操作端末１０は、さらに、照明コントローラ２０の制御部２２を備えていてもよい。
【０１１３】
本変形例では、通信の成功確率に基づいて、照明装置４０ｎ２とどの無線装置との通信が良いかの判定に用いることができる。例えば、照明コントローラ２０の制御部２２又は第１無線装置３０ｎ１の第１処理部３１は、照明装置４０ｎ２と通信を試行した無線装置のそれぞれの成功確率のテーブルに基づいて、最も適した無線装置を判定して選択することができる。
【０１１４】
このような、本変形例に係る照明システム１において、照明コントローラ２０又は第１無線装置３０ｎ１は、第２無線装置３０ｎ２と１以上の特定照明装置のそれぞれとの通信の試行を複数回づつ行わせ、照明コントローラ２０、第１無線装置３０ｎ１及び第２無線装置３０ｎ２のいずれかは、第２無線装置３０ｎ２と１以上の特定照明装置のそれぞれとの通信ができる成功確率を算出する。
【０１１５】
これによれば、第２無線装置３０ｎ２と１以上の特定照明装置のそれぞれとの成功確率を算出することで、例えば成功確率を含む情報を応答として操作端末１０に送信すれば、ユーザは、どの無線装置と１以上の特定照明装置とが通信状況が良いかどうかを判定することができる。
【０１１６】
また、照明コントローラ２０又は第１無線装置３０ｎ１が自動的に第２無線装置３０ｎ２と１以上の特定照明装置との通信を確立させる場合、成功確率の高い通信ルートを選択するための判定に用いることができる。このため、第２無線装置３０ｎ２と１以上の特定照明装置のそれぞれとの通信の確立をより確実に行うことができる。
【０１１７】
本変形例においても上述と同様の作用効果を奏する。
【０１１８】
（実施の形態の変形例４）
以下では、本変形例における照明システム１及び照明制御方法の基本的な構成は、実施の形態の基本的な構成と同じであるため、本変形例における照明システム１及び照明制御方法の基本的な構成について、適宜説明を省略する。
【０１１９】
照明システム１及び照明制御方法の動作を、図７を用いて説明する。
【０１２０】
図７は、実施の形態の変形例４に係る照明システム１の動作を例示するシーケンス図である。
【０１２１】
図７では、実施の形態の変形例３と同様の動作については、適宜説明を省略し、主に、本変形例が異なっている部分について説明する。
【０１２２】
図７に示すように、本変形例では、第１無線装置３０ｎ１と照明装置４０ｎ２とが通信できなくなっている場合、照明コントローラ２０は、第１規定時刻（例えば、００時００分）になった際に、第２無線装置３０ｎ２に通信指示を送信し（Ｓ３３２）、第２無線装置３０ｎ２は、第１規定期間（例えば、００時００分〜００時５９分）に、通信指示に基づいて照明装置４０ｎ２と通信を複数回試行する（Ｓ３３３）。第２無線装置３０ｎ２は、複数回の通信の試行によって、照明装置４０ｎ２から応答を受信する（Ｓ３４１）。第２無線装置３０ｎ２の第１処理部３１は、第１規定期間における単位時間毎の成功確率を算出する。第１処理部３１は、算出した単位時間毎の成功確率を含む応答を照明コントローラ２０に送信する（Ｓ３４２）。第１規定期間及び第２規定期間は、規定期間の一例である。
【０１２３】
また、本変形例では、第２無線装置３０ｎ２以外にも第３〜ｎ無線装置が存在しているため、第３無線装置についても、第１規定時刻とは異なる第２規定時刻であり第１規定期間と重ならない第２規定期間に、通信指示に基づいて照明装置４０ｎ２と通信を複数回試行する。第３無線装置の第１処理部３１は、第２規定期間における単位時間毎の成功確率を算出する。この第１処理部３１は、算出した単位時間毎の成功確率を含む応答を照明コントローラ２０に送信する。第４無線装置以降の無線装置についても同様である。
【０１２４】
なお、本変形例では、第２無線装置３０ｎ２の代わりに第１無線装置３０ｎ１、照明コントローラ２０及び操作端末１０のいずれかが、規定期間における、単位時間毎の成功確率を算出してもよい。この場合、第１無線装置３０ｎ１、照明コントローラ２０及び操作端末１０のいずれかがが第２無線装置３０ｎ２としての機能を有していてもよい。例えば、第１無線装置３０ｎ１、照明コントローラ２０及び操作端末１０のいずれかがは、さらに、第２無線装置３０ｎ２の第１処理部３１を備えていてもよい。
【０１２５】
本変形例では、時間毎の通信の成功確率に基づいて、照明装置４０ｎ２とどの無線装置との通信が良いかの判定に用いることができる。例えば、照明コントローラ２０の制御部２２又は第１無線装置３０ｎ１の第１処理部３１は、時間とそれぞれの無線装置とからなる成功確率のテーブルに基づいて、最も適した無線装置を判定して選択することができる。
【０１２６】
このように、本変形例に係る照明システム１において、照明コントローラ２０又は第１無線装置３０ｎ１は、規定期間において、第２無線装置３０ｎ２と１以上の特定照明装置のそれぞれとの通信の試行を行い、照明コントローラ２０、第１無線装置３０ｎ１及び第２無線装置３０ｎ２のいずれかは、規定期間における、単位時間毎の成功確率を算出する。
【０１２７】
このため、規定期間における単位時間毎に通信の成功確率を算出することで、第２無線装置３０ｎ２と１以上の特定照明装置のそれぞれとの間で通信ができなくなったとしても、その時間帯を把握することができる。このため、第２無線装置３０ｎ２と１以上の特定照明装置のそれぞれとの間で通信ができなくなる原因を突き止め易くなる。
【０１２８】
本変形例においても上述と同様の作用効果を奏する。
【０１２９】
（実施の形態の変形例５）
以下では、本変形例における照明システム１及び照明制御方法の基本的な構成は、実施の形態の基本的な構成と同じであるため、本変形例における照明システム１及び照明制御方法の基本的な構成について、適宜説明を省略する。
【０１３０】
本変形例における照明システム１では、それぞれ照明装置４０は、上述のような、１以上の特定照明装置のそれぞれとの通信を試行する機能を有する。つまり、それぞれの照明装置４０は、無線装置と同様の機能を有する。このため、照明装置４０の第２処理部４１は、無線装置の第１処理部３１と同等の機能をさらに有する。言い換えれば、照明装置４０は、第１処理部３１をさらに有していてもよい。
【０１３１】
第２無線装置３０ｎ２は、照明装置である。このため、第２無線装置３０ｎ２は、第１無線装置３０ｎ１から送信された制御指示に対して反応しない特定照明装置となることがある。
【０１３２】
第１無線装置３０ｎ１が間接的に又は直接的に１以上の特定照明装置と通信できない場合、特定照明装置以外の他の照明装置４０は、特定照明装置と通信を試行する。他の照明装置４０と特定照明装置とが通信できる場合、他の照明装置４０は、特定照明装置と通信が確立される。つまり、他の照明装置４０は、第１無線装置３０ｎ１から取得した制御指示をホップさせて、特定照明装置に送信する。
【０１３３】
照明システム１及び照明制御方法の動作を、図８を用いて説明する。
【０１３４】
図８は、実施の形態の変形例５に係る照明システム１の動作を例示するシーケンス図である。
【０１３５】
図８では、実施の形態と同様の動作については、適宜説明を省略し、主に、本変形例が異なっている部分について説明する。図８では、図２のステップＳ３３、Ｓ４１、Ｓ４２の代わりに以下の処理を行う。
【０１３６】
本変形例では、第１無線装置３０ｎ１と照明装置４０ｎ１〜４０ｎ（ａ−１）とが予めペアリング設定されており、照明装置４０ｎ１と照明装置４０ｎａとが予めペアリング設定されていることを想定する。照明装置４０ｎ（ａ−１）は、上記の第２無線装置３０ｎ２の一例である。
【０１３７】
図８に示すように、まず、照明コントローラ２０は、第１無線装置３０ｎ１を介して、それぞれの照明装置４０ｎ１〜４０ｎ（ａ−１）に制御指示を送信する（Ｓ１１、Ｓ１２）。照明装置４０ｎ１は、受信した制御指示をさらに照明装置４０ｎａに送信する（Ｓ５１３）。このとき、照明装置４０ｎａと照明装置４０ｎ１とが通信不可の状態であるため、ユーザは、反応しない照明装置４０ｎａを特定照明装置として認識する。
【０１３８】
次に、ユーザは、操作端末１０を操作して通信指示を入力し（Ｓ２１）、照明装置４０ｎ（ａ−１）に照明装置４０ｎａとの通信を試行させる。操作端末１０が照明コントローラ２０を介して照明装置４０ｎ（ａ−１）に通信指示を送信し（Ｓ３１、Ｓ３２）、照明装置４０ｎ（ａ−１）は、通信指示に基づいて照明装置４０ｎａと通信を試行する（Ｓ５３３）。つまり、照明装置４０ｎ（ａ−１）は、照明装置４０ｎａに応答を要求する。
【０１３９】
照明装置４０ｎａが応答の要求を受信できた場合、照明装置４０ｎａは、通信成功を示す応答を、照明装置４０ｎ（ａ−１）及び第１無線装置３０ｎ１を介して照明コントローラ２０に送信する（Ｓ５４１、Ｓ５４２、Ｓ４３）。
【０１４０】
次に、照明コントローラ２０は、照明装置４０ｎ（ａ−１）から応答を受信すると、照明装置４０ｎ（ａ−１）を特定するＩＤと受信した応答とを紐付け、メモリ等の図示しない記憶部に格納する。さらに、照明コントローラ２０は、受信した応答を操作端末１０に送信する（Ｓ４４）。
【０１４１】
なお、本変形例では、照明コントローラ２０の代わりに第１無線装置３０ｎ１又は操作端末１０が、照明装置４０ｎ１以外の照明装置４０を自動的に指定し、指定した照明装置４０と１以上の特定照明装置のそれぞれとの通信を試行させてもよい。照明コントローラ２０の代わりに第１無線装置３０ｎ１又は操作端末１０を用いる場合、第１無線装置３０ｎ１又は操作端末１０が照明コントローラ２０としての機能を有していてもよい。
【０１４２】
操作端末１０は、受信した応答を表示する。ユーザは、操作端末１０を操作して、照明装置４０ｎ（ａ−１）と照明装置４０ｎａとのペアリング設定を変更指示する（Ｓ５１）。操作端末１０は、設定変更指示に基づいた第１設定指示及び第２設定指示を照明コントローラ２０に送信する（Ｓ６１）。照明コントローラ２０は、照明装置４０ｎ１と照明装置４０ｎａとのペアリング設定を解除する第１設定指示を第１無線装置３０ｎ１に送信する（Ｓ６２ａ）。また、照明コントローラ２０は、照明装置４０ｎ（ａ−１）と照明装置４０ｎａとのペアリング設定を行う第２設定指示を照明装置４０ｎ（ａ−１）に送信する（Ｓ６２ｂ）。
【０１４３】
こうして、第１無線装置３０ｎ１と照明装置４０ｎａとがペアリング設定され、照明装置４０ｎ（ａ−１）と照明装置４０ｎａとがペアリング設定される（設定変更後のペアリング設定の状態）。また、第１無線装置３０ｎ１と照明装置４０ｎ１〜４０ｎ（ａ−１）とのペアリング設定は維持される。
【０１４４】
このような、本変形例に係る照明システム１において、第２無線装置３０ｎ２は、照明装置４０である。また、第１無線装置３０ｎ１が１以上の照明装置４０にそれぞれ送信した制御指示に対して、１以上の照明装置４０のうち反応しない特定照明装置が存在する場合、１以上の照明装置４０のうちの少なくとも一部の照明装置４０は、１以上の特定照明装置と通信を試行する。
【０１４５】
これによれば、照明装置４０は第２無線装置３０ｎ２の機能を有するため、照明装置４０が１以上の特定照明装置と通信できなくても、別の照明装置４０が１以上の特定照明装置と通信の試行を行う。このため、１以上の特定照明装置が照明装置４０又は第１無線装置３０ｎ１と通信できなくなったとしても、通信可能な別の照明装置４０を探すことができる。
【０１４６】
本変形例においても上述と同様の作用効果を奏する。
【０１４７】
（その他変形例）
以上、本開示に係る照明システム及び照明制御方法について、実施の形態及び実施の形態の変形例１〜５に基づいて説明したが、本開示は、上記の各実施の形態及び実施の形態の変形例１〜５に限定されるものではない。
【０１４８】
例えば、上記実施の形態及び実施の形態の変形例１〜５に係る照明システム及び照明制御方法において、操作端末、照明コントローラ及び第１無線装置のいずれかは、算出されたそれぞれの成功確率に基づいて、第２無線装置と１以上の特定照明装置のそれぞれとが通信を確立できるかどうかを判定してもよい。また、操作端末、照明コントローラ及び第１無線装置のいずれかは、算出されたそれぞれの成功確率が規定値以上であれば、第２無線装置と１以上の特定照明装置のそれぞれとが通信を確立できると判定してもよい。
【０１４９】
また、上記実施の形態及び実施の形態の変形例１〜５に係る照明システム及び照明制御方法において、照明装置は、無線装置以外の他のリモートコントローラ等の専用端末と通信することができてもよい。また、照明装置は、このようなリモートコントローラによって、点灯、消灯等の制御を行うことができてもよい。また、リモートコントローラによって、無線装置、他の照明装置等と通信の試行をしてもよい。
【０１５０】
また、上記実施の形態及び実施の形態の変形例１〜５に係る照明システム及び照明制御方法では、第４通信部は、受信した制御指示を他の照明装置に対してユニキャストにより送信してもよい。
【０１５１】
また、上記実施の形態及び実施の形態の変形例１〜５に係る照明システム及び照明制御方法では、照明装置は、ペアリング設定先のアドレス、受信した制御指示等を格納する記憶部を有していてもよい。
【０１５２】
また、上記実施の形態及び実施の形態の変形例１〜５に係る照明システム及び照明制御方法において、第２無線装置と照明装置との通信を試行する際に、応答の要求にＲＳＳＨを付加し、第２無線装置と照明装置との間での通信の挙動を調べてもよい。
【０１５３】
また、上記実施の形態及び実施の形態の変形例１〜５に係る照明システムに含まれる各処理部は、典型的に集積回路であるＬＳＩとして実現される。これらは個別に１チップ化されてもよいし、一部又は全てを含むように１チップ化されてもよい。
【０１５４】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１５５】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【０１５６】
また、上記で用いた数字は、全て本開示を具体的に説明するために例示するものであり、本開示の実施の形態は例示された数字に制限されない。
【０１５７】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１５８】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１５９】
その他、実施の形態及び実施の形態の変形例１〜５に対して当業者が思いつく各種変形を施して得られる形態、本開示の趣旨を逸脱しない範囲で実施の形態及び実施の形態の変形例１〜５における構成要素及び機能を任意に組み合わせることで実現される形態も本開示に含まれる。
【符号の説明】
【０１６０】
１  照明システム
２０  照明コントローラ（制御装置）
３０ｎ１  第１無線装置（無線装置）
３０ｎ２  第２無線装置（無線装置）
３０ｎｍ  第ｎ無線装置（無線装置）
４０、４０ｎ１、４０ｎ２、４０ｎ（ａ−１）、４０ｎａ  照明装置（特定照明装置）
【図１】
2020119853.tif 000003
【図２】
2020119853.tif 000004
【図３Ａ】
2020119853.tif 000005
【図３Ｂ】
2020119853.tif 000006
【図３Ｃ】
2020119853.tif 000007
【図４】
2020119853.tif 000008
【図５】
2020119853.tif 000009
【図６】
2020119853.tif 000010
【図７】
2020119853.tif 000011
【図８】
2020119853.tif 000012